(57)【要約】      （修正有）【課題】アイスクリームを個別に分離して収容および保管ができるアイスクリームの摂取に伴う不便さを減らすことができるアイスクリームツイン容器を提供する。【解決手段】アイスクリームを収容する第１本体部１００、第１本体部に連結され、アイスクリームを収容する第２本体部２００、及び第１本体部と第２本体部が連結される連結領域の外周面に設けられ、第１本体部と第２本体部が分離されるように形成された切取部３００を含む。【選択図】図１
0003207070.tif 000002
【実用新案登録請求の範囲】
【請求項１】
アイスクリームを収容する第１本体部；
前記第１本体部に連結され、アイスクリームを収容する第２本体部；及び
前記第１本体部と前記第２本体部が連結される連結領域の外周面に設けられ、前記第１本体部と前記第２本体部が分離されるように形成された切取部；を含むことを特徴とする、アイスクリームツイン容器。
【請求項２】
前記連結領域に結合され、前記第１本体部と前記第２本体部の外周面を連結し、対向するように配置され、前記連結領域から選択的に分離されるように形成された一対の分離取手をさらに含むことを特徴とする、請求項１に記載のアイスクリームツイン容器。
【請求項３】
前記分離取手は、
前記連結領域の長さに対応する長さに形成され、前記連結領域で前記第１本体部と前記第２本体部を連結する胴体部材；及び
前記胴体部材の両面に複数突設される突起部材；を含むことを特徴とする、請求項２に記載のアイスクリームツイン容器。
【請求項４】
前記第１本体部は、
前記切取部を境界として前記第２本体部に対応する大きさ及び形状に形成されることを特徴とする、請求項１に記載のアイスクリームツイン容器。
【請求項５】
前記第１本体部及び前記第２本体部は、
前記切取部を境界として対向する部分にそれぞれ摂取部を含むことを特徴とする、請求項４に記載のアイスクリームツイン容器。
【請求項６】
前記第１本体部は、
前記連結領域の反対方向に突設され、アイスクリームが内部に充填されるように設けられた充填部を含むことを特徴とする、請求項１に記載のアイスクリームツイン容器。
【請求項７】
前記第１本体部の内部には、
前記第２本体部の内部に収容されたアイスクリームと同一のアイスクリームが収容されたことを特徴とする、請求項１に記載のアイスクリームツイン容器。
【請求項８】
前記第１本体部の内部には、
前記第２本体部の内部に収容されたアイスクリームとは違うアイスクリームが収容されたことを特徴とする、請求項１に記載のアイスクリームツイン容器。
【請求項９】
前記切取部は、
前記連結領域中心の外周面に沿って形成された複数の切取線からなることを特徴とする、請求項１に記載のアイスクリームツイン容器。
【考案の詳細な説明】
【技術分野】
【０００１】
本考案はアイスクリームツイン容器に係り、より詳しくは二つに分けられ、内部に収容されたアイスクリームをそれぞれ食べることができるアイスクリームツイン容器に関するものである。
【背景技術】
【０００２】
一般に、チューブ型容器にアイスクリームが収容された製品の場合、アイスクリームを一人で食べるかあるいは刃物や鋏などで所望の分だけ容器を切って二分して食べることができる。
【０００３】
しかし、このようなチューブ型容器に収容されたアイスクリームは幼い子供達が一度に全量食べることができない量が収容されているため、一部を食べなかった状態で再保管する場合、開放状態で保管しなければならない不便さがある。
【０００４】
また、チューブ型容器は内部に収容されたアイスクリームが凍って固くなった状態で刃物や鋏で切断しなければならないため、それによる煩わしさがあるだけではなく、負傷の危険も常に存在することになる。
【先行技術文献】
【特許文献】
【０００５】
【特許文献１】大韓民国特許公開第１０−２００７−０１１３５４６号公報
【考案の概要】
【考案が解決しようとする課題】
【０００６】
本考案の目的は、アイスクリームが収容された本体を切取線に沿って切断して二分してそれぞれ食べることができるようにすることで、アイスクリームの摂取に伴う不便さを減らすことができるアイスクリームツイン容器を提供することにある。
【課題を解決するための手段】
【０００７】
本考案によるアイスクリームツイン容器は、アイスクリームを収容する第１本体部、前記第１本体部に連結され、アイスクリームを収容する第２本体部、及び前記第１本体部と前記第２本体部が連結される連結領域の外周面に設けられ、前記第１本体部と前記第２本体部が分離されるように形成された切取部を含むことを特徴とする。
【０００８】
また、本考案によるアイスクリームツイン容器は、前記連結領域に結合され、前記第１本体部と前記第２本体部の外周面を連結し、対向するように配置され、前記連結領域から選択的に分離されるように形成された一対の分離取手をさらに含むことができる。
【０００９】
前記分離取手は、前記連結領域の長さに対応する長さに形成され、前記連結領域で前記第１本体部と前記第２本体部を連結する胴体部材、及び前記胴体部材の両面に複数突設される突起部材を含むことができる。
【００１０】
前記第１本体部は、前記切取部を境界として前記第２本体部に対応する大きさ及び形状に形成されることができる。
【００１１】
前記第１本体部及び前記第２本体部は、前記切取部を境界として対向する部分にそれぞれ摂取部を含むことができる。
【００１２】
前記第１本体部は、前記連結領域の反対方向に突設され、アイスクリームが内部に充填されるように設けられた充填部を含むことができる。
【００１３】
前記第１本体部の内部には、前記第２本体部の内部に収容されたアイスクリームと同一のアイスクリームが収容されることができる。
【００１４】
前記第１本体部の内部には、前記第２本体部の内部に収容されたアイスクリームとは違うアイスクリームが収容されることができる。
【００１５】
前記切取部は、前記連結領域中心の外周面に沿って形成された複数の切取線からなることができる。
【考案の効果】
【００１６】
本考案は、アイスクリームが収容された本体を切取線によって切断して二分してそれぞれ食べることができるようになり、アイスクリームの摂取に伴う不便さを減らすことができる効果が奏される。
【００１７】
そして、本考案は、補助的に、切取線を境界として分けられた本体を連結する分離取っ手を備えることで、二つの本体が流通中の衝撃によって分離されることを事前に防止することができる効果が奏される。
【００１８】
また、本考案は、分離される本体の内部に相異なる種類のアイスクリームを収容することにより、消費者の好みによって選んで食べることができる楽しさを与えることができる効果が奏される。
【図面の簡単な説明】
【００１９】
【図１】本考案の一実施例によるアイスクリームツイン容器を示す斜視図である。
【図２】本考案の一実施例によるアイスクリームツイン容器の側面図である。
【図３】本考案の一実施例によるアイスクリームツイン容器の分解斜視図である。
【図４】本考案の他の実施例によるアイスクリームツイン容器を示す図である。
【考案を実施するための形態】
【００２０】
以下、添付図面に基づいて本考案による好適な実施形態を詳細に説明する。
【００２１】
本考案の利点及び特徴、そしてそれを達成する方法は添付図面を参照して詳細に後述する実施形態から明らかになるであろう。
【００２２】
しかし、本考案は以下に開示する実施形態に限定されるものではなく、様々な多様な形態に具現化されることができる。ただし、これらの実施形態は本考案の開示を完全にし、本考案が属する技術分野で通常の知識を持つ者に考案の範疇を完全に知らせるために提供されるものであり、本考案は請求範囲の範疇のみによって定義される。
【００２３】
また、本考案を説明するにあたり、関連の公知技術などが本考案の要旨をあいまいにするおそれがあると判断される場合、それについての詳細な説明は省略する。
【００２４】
図１は本考案の一実施例によるアイスクリームツイン容器を示す斜視図、図２は本考案の一実施例によるアイスクリームツイン容器の側面図である。
【００２５】
図１及び図２に示したように、アイスクリームツイン容器は、第１本体部１００、第２本体部２００、及び切取部３００を含む。
【００２６】
第１本体部１００は、内部にアイスクリームを収容するように収容空間が形成されている。
【００２７】
第１本体部１００には、切取部３００を境界として第２本体部２００と対向する一端部に摂取部１１０が設けられ、他端部に充填部１２０が設けられている。
【００２８】
摂取部１１０は消費者によって把持される把持領域Ｂから切取部３００の方向に向かって次第に直径が小さくなる形状に形成され、一端が細長くなることにより、アイスクリームの摂取時、消費者が口を大きく開けなくても容易に口に入れて、第１本体部１００の内部に収容されたアイスクリームを食べることができるようにする。
【００２９】
ここで、把持領域Ｂには、消費者によって容易に把持できるように、長手方向に所定の長さを有する複数の突起が外周面に沿って形成されている。
【００３０】
充填部１２０は第１本体部１００の他端部に突設され、製造過程中に第１本体部１００及び第２本体部２００の内部にアイスクリームを充填することができるように設けられている。
【００３１】
本実施形態による充填部１２０は摂取部１１０の形状と同一の形状に形成したものについて例示されているが、これは例示に過ぎず、アイスクリームを充填する装置の形状に対応して、他の形状に形成することもできる。
【００３２】
第２本体部２００は第１本体部１００に連結され、内部にアイスクリームを収容するように収容空間が形成される。
【００３３】
すなわち、第１本体部１００及び第２本体部２００は切取部３００を境界として互いに対向するように連結され、第２本体部２００は充填部１２０以外の部分の大きさ及び形状が第１本体部１００と同一に形成されている。
【００３４】
ここで、第２本体部２００には、切取部３００を境界として第１本体部１００の摂取部１１０と対向するように摂取部２１０が設けられている。
【００３５】
この第２本体部２００の摂取部２１０は、第１本体部１００の摂取部１１０の形状と同様に形成される。よって、第１本体部１００から分離される場合に、第１本体部１００と同様に、消費者が容易に口に入れて、第２本体部２００の内部に収容されたアイスクリームを食べることができる。
【００３６】
切取部３００は、第１本体部１００と第２本体部２００が連結される連結領域Ａの中心に設けられ、連結領域Ａの外周面に沿って形成されることにより、第１本体部１００と第２本体部２００が互いに分離される。
【００３７】
すなわち、切取部３００は第１本体部１００と第２本体部２００にそれぞれ設けられた摂取部１１０、２１０の境界をなし、図示されていないが、外周面に沿って所定の間隔で形成された複数の切込線の形態で形成されている。これにより、消費者の力によって第１本体部１００と第２本体部２００が手軽に分離できる。
【００３８】
結果として、本実施例による切取部３００は、第１本体部１００と第２本体部２００を手軽に分離できるようにして、分離のための別途の刃物、鋏などの道具の使用が不要になるだけでなく、内部に収容されたアイスクリームを一度にすべて食べることができない場合、予め分離しておくことで、このような不便さを解消することができる。
【００３９】
また、本実施例による切取部３００は、二人が一つのアイスクリームを分けて食べる場合、第１本体部１００と第２本体部２００とを容易に分離できるため、消費者に食べる楽しみを与えることもできる。
【００４０】
一方、本実施例によるアイスクリームツイン容器は、分離取手４００をさらに含む。
【００４１】
連結領域Ａに結合されて第１本体部１００と第２本体部２００の外周面を連結し、連結領域Ａ上に摂取部１１０、２１０を挟むように一対の分離取手４００が配置されている。
【００４２】
ここで、本実施例においては、一対の分離取手４００が上記のように連結領域Ａ上に摂取部１１０、２１０を挟むように配設されるものについて説明したが、これは例示であり、より多数の分離取手４００を配設することもできる。
【００４３】
また、分離取手４００は連結領域Ａに補助的に結合され、よって第１本体部１００と第２本体部２００を互いに分離する直前に消費者の力によって連結領域Ａから分離することができる。
【００４４】
このような分離取手４００は、胴体部材４１０及び突起部材４２０を含む。
【００４５】
まず、胴体部材４１０は連結領域Ａの長さと対応する長さに形成され、連結領域Ａで第１本体部１００と第２本体部２００を連結する。
【００４６】
胴体部材４１０は上述した摂取部１１０、２１０の形状によって連結領域Ａの内部に結合されたエッジ部が曲線状に形成され、外側面が第１本体部１００及び第２本体部２００と同一線上に位置するように直線状に形成される。
【００４７】
このような胴体部材４１０は第１本体部１００及び第２本体部２００を補助的に連結するように設けられるもので、流通中の衝撃によって第１本体部１００及び第２本体部２００が互いに分離されることを防止できる。
【００４８】
突起部材４２０は胴体部材４１０の両面にそれぞれ複数が突設され、胴体部材４１０を把持する時に滑りを防止でき、結果として第１本体部１００及び第２本体部２００を分離する直前に胴体部材４１０を連結領域Ａから容易に除去することができる。
【００４９】
以下、図３は本考案の一実施形態によるアイスクリームツイン容器の分解斜視図である。
【００５０】
図３に示したように、アイスクリームツイン容器は、切取部３００に沿って第１本体部１００と第２本体部２００を分離することで、内部に収容されたアイスクリームを分けて食べることができる。
【００５１】
ここで、第１本体部１００から第２本体部２００を分離する過程を説明すると以下の通りである。
まず、流通中の衝撃による第１本体部１００と第２本体部２００の分離を防止するために連結領域Ａに補助的に結合された分離取手４００を連結領域Ａの外側方向に引っ張り除去する。
【００５２】
この際、分離取手４００の両面には突起部材４２０が設けられているので、消費者が把持して除去方向に引っ張る際に発生し得る滑りを防止できる。
【００５３】
その後、一方の手で第１本体部１００の把持領域Ｂを把持するとともに、他方の手で第２本体部２００の把持領域Ｂを把持する。
【００５４】
ついで、第２本体部２００を第１本体部１００に対して一側方向に折ることで、切取部３００によって第２本体部２００を第１本体部１００から分離する。
【００５５】
結果として、本実施例によるアイスクリームツイン容器は、切取部３００に沿って第１本体部１００と第２本体部２００が互いに分離され、互いに対向するそれぞれの攝取部１１０、２１０を通じて消費者が内部に収容されたアイスクリームを食べることができるので、二人がアイスクリームを分けて食べようとする場合、アイスクリームの摂取に伴う不便さを減らすことができる。
【００５６】
以下、図４は本考案の他の実施形態によるアイスクリームツイン容器を示す図である。
【００５７】
図４に示したように、アイスクリームツイン容器は、アイスクリーム１を収容する第１本体部１００と、第１本体部１００に連結され、アイスクリーム１を収容する第２本体部２００とを含む。
【００５８】
ここで、第１本体部１００の内部に収容されたアイスクリーム１は上記のように第２本体部２００に収容されたアイスクリーム１と同種のアイスクリーム１であってもよいが、他種のアイスクリーム１’であってもよい。
【００５９】
本考案の実施形態によれば、第１本体部１００の内部に収容されたアイスクリーム１と第２本体部２００の内部に収容されたアイスクリーム１’が互いに異なる種類の場合、切取部３００に沿って第１本体部１００と第２本体部２００を分離して消費者が選んで食べることができるという楽しさを与えることができる。
【００６０】
すなわち、アイスクリームの製造過程において、第１本体部１００の充填部１２０を通じてアイスクリームを充填するときに、まず第２本体部２００の内部にアイスクリーム１’を第２本体部２００の摂取部２１０の端部まで充填する。
【００６１】
この際、第２本体部２００に収容されたアイスクリーム１’を先に氷らせて冷凍状態になるようにし、ついで充填部１２０を通じて他種のアイスクリーム１を第１本体部１００に充填することで、異種のアイスクリーム１、１’を第１本体部１００及び第２本体部２００にそれぞれ収容することができる。
【００６２】
このように、異種のアイスクリーム１、１’を順次充填して凍結させる方法はアイスクリーム１、１’を充填する方法の一つを例示したものであり、異種のアイスクリーム１、１’の物性を異にして、一度に第１本体部１００及び第２本体部２００に充填することもできる。
【００６３】
結果として、本実施形態によるアイスクリームツイン容器は、互いに分離される第１本体部１００及び第２本体部２００の内部に異種のアイスクリーム１、１’を収容することにより、二人が一つのアイスクリームを分けて食べる場合、消費者に選んで食べることができるという楽しさを与えることができる。
【００６４】
本考案によれば、アイスクリームを収容した本体を切取線に沿って切断して二つに分け、それぞれ食べることができるようにすることで、アイスクリームの摂取に伴う不便さを減らすことができる効果が奏される。
【００６５】
そして、本考案によれば、切取線を境界として分割された本体を補助的に連結する分離取手を備えることで、二つの本体が流通中の衝撃によって分離されることを事前に防止することができる効果が奏される。
【００６６】
また、本考案によれば、分離される本体の内部に相異なる種類のアイスクリームを収容することにより、消費者の好みによって選んで食べることができるという楽しさを与えることができる効果が奏される。
【００６７】
以上、本考案を図面に示した実施形態に基づいて説明したが、これは例示的なものに過ぎなく、当該技術分野の通常の知識を持つ者であればこれから多様な変形が可能であり、前述した実施形態の全部又は一部を選択的に組合せて構成することも可能である点を理解することができる。よって、本考案の真正な技術的保護範囲は添付の請求範囲の技術的思想によって決められなければならない。
【符号の説明】
【００６８】
１、１’    アイスクリーム
１００    第１本体部
１１０、２１０    摂取部
１２０    充填部
２００    第２本体部
３００    切取部
４００    分離取手
４１０    胴体部材
４２０    突起部材
Ａ    連結領域
Ｂ    把持領域
【図１】
0003207070.tif 000003
【図２】
0003207070.tif 000004
【図３】
0003207070.tif 000005
【図４】
0003207070.tif 000006